(57)【要約】【課題】  ディスク再生装置において、装置内に備えるハードディスクの回転騒音を軽減する。【解決手段】  ディスク再生装置において、ディスクの識別情報及びデータを読み出すディスク読出部と、読み出したディスクの識別情報及びデータを記憶する第１及び第２のハードディスクと、ディスクの再生開始を操作する操作部と、ディスク読出部が読み出したディスクの識別情報と第１及び第２のハードディスクに記憶されたディスクの識別情報が一致するか否かを判別する判別部を備え、再生開始操作された場合、判別部の判別結果が一致したとき、第１及び第２のハードディスクの回転速度を通常使用時の２分の１に減速させ、第１及び第２のハードディスクに記憶されたデータを予め定められたデータ量のブロック毎に連続する２ブロックを第１及び第２のハードディスクから各１ブロックずつ並行して読み出し順次データ出力部に出力する。【選択図】      図１
2007058986.tif 000002
【特許請求の範囲】
【請求項１】
ディスクの識別情報及びディスクに記録されたデータを読み出すディスク読出部と、前記ディスク読出部が読み出したディスクの識別情報及びデータを記憶する第１のハードディスクと、前記ディスク読出部が読み出したディスクの識別情報及びデータを記憶する第２のハードディスクと、前記第１のハードディスク及び前記第２のハードディスクのデータの書き込み及び読み出しを制御する記憶制御部と、前記記憶制御部が前記第１のハードディスク及び前記第２のハードディスクから読み出したデータを出力するデータ出力部と、前記ディスク読出部に装着されたディスクの再生開始を操作する操作部と、前記ディスク読出部が読み出したディスクの識別情報と前記第１のハードディスク及び前記第２のハードディスクに記憶されたディスクの識別情報が一致するか否かを判別する識別情報判別部とを備え、前記操作部によって再生開始の操作がされた場合、前記識別情報判別部が判別した結果識別情報が一致したとき、前記記憶制御部は、前記第１のハードディスク及び前記第２のハードディスクの回転速度を通常使用時の２分の１に減速させ、前記第１のハードディスクと前記第２のハードディスクとに記憶されたデータを予め定められたデータ量のブロック毎に連続する２ブロックを前記第１のハードディスクと前記第２のハードディスクからそれぞれ１ブロックずつ並行して読み出し順次前記データ出力部に出力することを特徴とするディスク再生装置。
【発明の詳細な説明】
【技術分野】
【０００１】
本発明は、オーディオデータ、ビデオデータ等が記録された光ディスクからデータを再生して出力するディスク再生装置に関する。
【背景技術】
【０００２】
ディスク再生装置において、光ディスクを高速で回転させて、光ディスクに記録されたデータを再生速度よりも高速に読み出し、ディスク再生装置内に備えたＲＡＭ(Random Access Memory)のバッファ記憶領域に記憶し、ＲＡＭから当該データの再生速度で読み出し出力するものがある。このディスク再生装置によって、光ディスクのデータの読み出しエラーが生じたとき再度データを読み出すために生ずる読み出しの遅れに起因するデータの再生出力の途切れを防止することができる（特許文献１参照）。
【０００３】
特許文献１のディスク再生装置は、ＲＡＭの容量の上限によって、データの再生出力の途切れを十分に防止できない場合があった。これを解決するための装置として、ＲＡＭに換えて、ハードディスク等の記憶容量が大きい記憶媒体をバッファ記憶領域として使用するディスク再生装置がある（特許文献２参照）。
【０００４】
【特許文献１】特開２００４−３４２２２７号公報
【特許文献２】特開２００４−０３０７３２号公報
【発明の開示】
【発明が解決しようとする課題】
【０００５】
特許文献１のディスク再生装置は、ＲＡＭに記憶したデータ量が所定量以上に達したときディスクの回転速度を低速にして、高速回転を必要としない再生動作を行う場合の騒音の発生を抑えることができるが、高速回転を行う場合には騒音が発生する。
特許文献２に記載されているディスク再生装置のように、ハードディスクを記憶媒体として使用した場合、ハードディスクに光ディスクのデータを全部記憶すれば、光ディスクの高速回転に起因する騒音を抑えることができる。
しかし、例えば夜間など、より静粛な環境でディスク再生装置を使用する場合には、更に、ハードディスクの回転による騒音を低減させたい場合があった。
本発明の目的は、ディスク再生装置において、光ディスク又はハードディスクの回転による騒音を低減した装置を提供することにある。
【課題を解決するための手段】
【０００６】
本発明の請求項１に記載のディスク再生装置は、ディスクの識別情報及びディスクに記録されたデータを読み出すディスク読出部と、前記ディスク読出部が読み出したディスクの識別情報及びデータを記憶する第１のハードディスクと、前記ディスク読出部が読み出したディスクの識別情報及びデータを記憶する第２のハードディスクと、前記第１のハードディスク及び前記第２のハードディスクのデータの書き込み及び読み出しを制御する記憶制御部と、前記記憶制御部が前記第１のハードディスク及び前記第２のハードディスクから読み出したデータを出力するデータ出力部と、前記ディスク読出部に装着されたディスクの再生開始を操作する操作部と、前記ディスク読出部が読み出したディスクの識別情報と前記第１のハードディスク及び前記第２のハードディスクに記憶されたディスクの識別情報が一致するか否かを判別する識別情報判別部とを備え、前記操作部によって再生開始の操作がされた場合、前記識別情報判別部が判別した結果識別情報が一致したとき、前記記憶制御部は、前記第１のハードディスク及び前記第２のハードディスクの回転速度を通常使用時の２分の１に減速させ、前記第１のハードディスクと前記第２のハードディスクとに記憶されたデータを予め定められたデータ量のブロック毎に連続する２ブロックを前記第１のハードディスクと前記第２のハードディスクからそれぞれ１ブロックずつ並行して読み出し順次前記データ出力部に出力するものである。
【発明の効果】
【０００７】
本発明のディスク再生装置によれば、光ディスク又はハードディスクの回転に起因する騒音を低減することができる。
【発明を実施するための最良の形態】
【０００８】
図１は、本発明のディスク再生装置の一実施例の構成を示すブロック図である。ディスク再生部１は、オーディオデータ、ビデオデータ等が変調して記録されている光ディスクがセットされると、当該光ディスクから、ディスク識別情報、オーディオデータ、ビデオデータ等のデータを読み出す。ディスク識別情報は、光ディスクの補助情報記録領域、例えば、ＣＤ(Compact Disc)やＤＶＤ(Digital Versatile Disc)であれば、ＴＯＣ(Table Of Contents)と呼ばれる補助情報の記録領域に、予め記録されている。プロセッサ２は、ディスク再生装置の再生動作を制御する。プロセッサ２は、ハードディスクドライブ（ＨＤＤ）コントローラ２ａ、識別情報判別部２ｂ、ＨＤＤ故障検出部２ｃを備える。ＨＤＤコントローラ２ａは、ディスク再生部１が光ディスクから読み出したディスク識別情報及びデータをＨＤＤ３ａ、３ｂにそれぞれ書き込み、記憶させる。また、ＨＤＤコントローラ２ａは、ＨＤＤ３ａ、３ｂに記憶されたデータをデコーダ４に出力する。
【０００９】
識別情報判別部２ｂは、ディスク再生部１に光ディスクがセットされたとき、ディスク再生部１が読み出したディスク識別情報と、既にＨＤＤ３ａ、３ｂに記憶されているディスク識別情報が一致するか否かを判別する。ＨＤＤコントローラ２ａは、識別情報判別部２ｂが判別した結果に基づいて、ディスク識別情報が一致した光ディスクのデータのみを、ＨＤＤ３ａ、３ｂから読み出してデコーダ４に出力するよう制御する。ＨＤＤコントローラ２ａは、ディスク識別情報が一致しないデータは、ＨＤＤ３ａ、３ｂから読み出さないよう制御する。従って、デコーダ４は、ＨＤＤ３ａ、３ｂに記憶されたデータのうち、ディスク再生部１にセットされた光ディスクのデータのみ出力可能となる。
【００１０】
ＨＤＤ故障検出部２ｃは、ＨＤＤ３ａ、３ｂが記憶したデータにエラーがあること、又はプロセッサ２から出力する制御信号に対する応答が無いことによって、当該ＨＤＤ３ａ、３ｂが故障であると検出する。ＨＤＤ故障検出部２は、データのエラーを、チェックサムと呼ばれる誤り検出方法を用いて検出する。ＨＤＤ故障検出部２ｃは、チェックサムによってエラーを検出する場合、データを複数のブロックに分割し、ブロック内のデータ値の和を算出し、入力データのブロック内のデータ値の和と出力データのブロック内のデータ値の和が一致するか否かを比較し、一致すればエラーなし、一致しなければエラーありと検出する。ＨＤＤ故障検出部２ｃが、ＨＤＤ３ａの故障を検出した場合、ＨＤＤコントローラ２ａは、ＨＤＤ３ａの使用を停止し、ＨＤＤ３ｂのみ制御する。ＨＤＤ故障検出部２ｃが、ＨＤＤ３ｂの故障を検出した場合、ＨＤＤコントローラ２ａは、ＨＤＤ３ｂの使用を停止し、ＨＤＤ３ａのみ制御する。
【００１１】
デコーダ４は、プロセッサ２がＨＤＤ３ａ、３ｂから読み出したデータを復調して、出力端子５に出力する。出力端子５には、オーディオ出力用、ビデオ出力用等の電気装置が接続される。操作部６は、再生開始等の操作ボタンを備え、操作信号をプロセッサ２に入力する。表示部７は、プロセッサ２から出力される文字、画像等の信号を表示する。ＨＤＤ故障検出部２ｃは、ＨＤＤ３ａ、３ｂの故障を検出したとき、表示部７に故障したＨＤＤを示す文字信号を出力し表示させる。
【００１２】
ディスク再生部１に光ディスクがセットされたとき、プロセッサ２は、当該光ディスクのデータがＨＤＤ３ａ、３ｂに記憶されているか否かを、識別信号判別部２ｂを用いて判別し、当該光ディスクのデータがＨＤＤ３ａ、３ｂに記憶されていなければ、光ディスクから読み出したディスク識別情報及びデータをＨＤＤ３ａ、３ｂに記憶させる。
【００１３】
ディスク再生部１に光ディスクがセットされた後、操作部６の再生開始ボタンが押され再生を開始するとき、プロセッサ２は、ＨＤＤ３ａ、３ｂに当該光ディスクのデータが記憶されているか否かを、識別信号判別部２ｂを用いて判別する。当該光ディスクのデータがＨＤＤ３ａ、３ｂに記憶されていれば、ＨＤＤコントローラ２ａは、ＨＤＤ３ａ、３ｂの回転速度を通常使用時の２分の１にしデータ転送速度を通常の２分の１にして、ＨＤＤ３ａ、３ｂに記憶された同じデータを、予め設定されたデータ量のブロック毎に連続する２ブロックをＨＤＤ３ａ、３ｂからそれぞれ前半１ブロックと後半１ブロックとを並行して読み出し、順次、通常のデータ転送速度でデコーダ４に出力する。２ブロックの読み出し時に、ＨＤＤ３ａ、３ｂは、それぞれ、１ブロックずつ読み出せば良いので、ＨＤＤ３ａ、３ｂの回転速度を通常使用時の２分の１にしデータ転送速度を通常の２分の１にすることができる。このとき、ディスク再生部１を動作させる必要はないので、ディスク再生部１への電力供給を停止させて消費電力を低減することができる。
【００１４】
なお、操作部６によって光ディスクの再生を停止する操作がされたときであっても、当該光ディスクの識別情報及びデータがＨＤＤ３ａ、３ｂに全部記憶されていなければ、プロセッサ２は、ディスク再生部１に当該光ディスクの識別情報及びデータを出力させて、ＨＤＤコントローラ２ａは、当該光ディスクの識別情報及びデータのＨＤＤ３ａ、３ｂへの記憶を行う。ＨＤＤ３ａ、３ｂに記憶したデータが記憶容量一杯になった場合、ＨＤＤコントローラ２ａは、ＨＤＤ３ａ、３ｂに記憶した古いデータから順に消去し、新しいデータを上書きする。
【図面の簡単な説明】
【００１５】
【図１】本発明のディスク再生装置の一実施例の構成を示すブロック図である。
【符号の説明】
【００１６】
１  ディスク再生部
２  プロセッサ
３ａ、３ｂ  ハードディスクドライブ(ＨＤＤ)
４  デコーダ
５  出力端子
６  操作部
７  表示部
【図１】
2007058986.tif 000003